(57)【要約】【課題】ドラムに対してラインヘッドを高精度に位置決めできるインクジェット記録装置を提供する。【解決手段】描画ドラム１４の外周面に対して進退移動自在に設けられた台座３０Ｌ、３０Ｒにダミーヘッド６０を取り付け、ダミーヘッド６０に設けられた位置決めピン６６Ｌ、６６Ｒを描画ドラム１４に形成された位置決め穴６８Ｌ、６８Ｒに嵌入させる。これにより、台座３０Ｌ、３０Ｒが、描画ドラム１４の外周面に対して所定高さの位置に位置する。この所定高さの位置に位置した台座３０Ｌ、３０Ｒを固定し、固定した台座３０Ｌ、３０Ｒにラインヘッド１６Ｋを取り付ける。これにより、ラインヘッド１６Ｋが、描画ドラム１４の外周面に対して所定高さの位置に所定の姿勢で取り付けられる。【選択図】図９
2010173305.tif 000002
【特許請求の範囲】
【請求項１】
回転するドラムの外周面に巻き付けられて回転搬送される記録媒体に対して、該ドラムの外周面に対向して配置されたラインヘッドからインクを吐出させて、画像を形成するインクジェット記録装置において、
前記ドラムの幅方向の両端部に配置され、前記ラインヘッドの両端部が固定される一対の台座と、
前記各台座を前記ドラムに対して垂直にガイドするガイドレールと、
前記各台座を前記各ガイドレールに沿って昇降させる昇降手段と、
前記各台座を前記各ガイドレールに固定する固定手段と、
両端部を前記一対の台座に固定することにより、前記台座に取り付け可能なダミーヘッドと、
前記ダミーヘッドの両端部に配設された一対の位置決めピンと、
前記ドラムの外周部の両端に形成され、前記各位置決めピンが嵌入される一対の位置決め穴と、
を備え、前記ダミーヘッドを前記台座に取り付け、前記一対の位置決めピンを前記一対の位置決め穴に嵌入させると、前記台座が前記ドラムに対して位置決めされ、該位置決めされた台座に前記ラインヘッドを取り付けると、前記ラインヘッドが前記ドラムに対して位置決めして取り付けられることを特徴とするインクジェット記録装置。
【請求項２】
前記一対の位置決めピンは、それぞれ先端小径部と後端大径部とからなる段付きピンで構成され、前記先端小径部が前記位置決め穴に嵌入されるとともに、前記後端大径部の端面が前記位置決め穴の周縁に当接されることを特徴とする請求項１に記載のインクジェット記録装置。
【請求項３】
前記昇降手段は、
前記各台座に接続された従動カムと、
前記各従動カムに当接された偏心カムと、
前記偏心カムを回転駆動するモータと、
からなることを特徴とする請求項１又は２に記載のインクジェット記録装置。
【発明の詳細な説明】
【技術分野】
【０００１】
本発明は、インクジェット記録装置に係り、特に回転するドラムの外周面に巻き付けられて回転搬送される記録媒体に対して、ドラムの外周面に対向して配置されたラインヘッドからインクを吐出させて、画像を形成するインクジェット記録装置に関する。
【背景技術】
【０００２】
回転するドラムの外周面に巻き付けられて回転搬送される記録媒体に対して、ドラムの外周面に対向して配置されたラインヘッドからインクを吐出させて、画像を形成するインクジェット記録装置が知られている。
【０００３】
この種のインクジェット記録装置において、画像を高精度に記録するためには、ドラムに対してラインヘッドを高精度に位置決めして取り付ける必要がある。特にドラムの外周面からヘッドのノズル面までの距離を高精度に制御して取り付ける必要がある。
【０００４】
このため、特許文献１では、ドラムの回転軸に係合させた支持部材にヘッドを保持したヘッド保持部材を取り付けることにより、ドラムに対してヘッドを所定位置に取り付けるようにしている。
【先行技術文献】
【特許文献】
【０００５】
【特許文献１】特開２００８−３６９４４号公報
【発明の概要】
【発明が解決しようとする課題】
【０００６】
しかしながら、特許文献１の方式では、ドラムに対してヘッドを高精度に取り付けるためには、支持部材及びヘッド保持部材に高い加工精度、組立精度が要求されるという欠点がある。
【０００７】
本発明は、このような事情に鑑みてなされたもので、ドラムに対してラインヘッドを高精度に位置決めできるインクジェット記録装置を提供することを目的とする。
【課題を解決するための手段】
【０００８】
請求項１に係る発明は、前記目的を達成するために、回転するドラムの外周面に巻き付けられて回転搬送される記録媒体に対して、該ドラムの外周面に対向して配置されたラインヘッドからインクを吐出させて、画像を形成するインクジェット記録装置において、前記ドラムの幅方向の両端部に配置され、前記ラインヘッドの両端部が固定される一対の台座と、前記各台座を前記ドラムに対して垂直にガイドするガイドレールと、前記各台座を前記各ガイドレールに沿って昇降させる昇降手段と、前記各台座を前記各ガイドレールに固定する固定手段と、両端部を前記一対の台座に固定することにより、前記台座に取り付け可能なダミーヘッドと、前記ダミーヘッドの両端部に配設された一対の位置決めピンと、前記ドラムの外周部の両端に形成され、前記各位置決めピンが嵌入される一対の位置決め穴と、を備え、前記ダミーヘッドを前記台座に取り付け、前記一対の位置決めピンを前記一対の位置決め穴に嵌入させると、前記台座が前記ドラムに対して位置決めされ、該位置決めされた台座に前記ラインヘッドを取り付けると、前記ラインヘッドが前記ドラムに対して位置決めして取り付けられることを特徴とするインクジェット記録装置を提供する。
【０００９】
本発明によれば、ダミーヘッドを台座に取り付け、ダミーヘッドに設けられた一対の位置決めピンをドラムに形成された一対の位置決め穴に嵌入させると、台座がドラムに対して所定位置に位置決めされる。そして、この位置決めされた台座にラインヘッドを取り付けると、ラインヘッドがドラムに対して位置決めして取り付けられる。これにより、簡単かつ高精度にラインヘッドを位置決めして取り付けることができる。
【００１０】
請求項２に係る発明は、前記目的を達成するために、前記一対の位置決めピンは、それぞれ先端小径部と後端大径部とからなる段付きピンで構成され、前記先端小径部が前記位置決め穴に嵌入されるとともに、前記後端大径部の端面が前記位置決め穴の周縁に当接されることを特徴とする請求項１に記載のインクジェット記録装置を提供する。
【００１１】
本発明によれば、位置決めピンが、先端小径部と後端大径部とからなる段付きピンで構成される。これにより、ドラムに対するラインヘッドの法線方向の位置も一定にすることができる。
【００１２】
請求項３に係る発明は、前記目的を達成するために、前記昇降手段は、前記各台座に接続された従動カムと、前記各従動カムに当接された偏心カムと、前記偏心カムを回転駆動するモータと、からなることを特徴とする請求項１又は２に記載のインクジェット記録装置を提供する。
【００１３】
本発明によれば、昇降手段が、偏心カム機構で構成され、偏心カムを回転駆動して、台座を昇降移動させる。
【発明の効果】
【００１４】
本発明によれば、ドラムに対してラインヘッドを高精度に位置決めして取り付けることができる。
【図面の簡単な説明】
【００１５】
【図１】インクジェット記録装置の描画部の概略構成図
【図２】ラインヘッドの取付部の構造を示す正面図
【図３】図２の３−３矢視図
【図４】図２の４−４矢視図
【図５】図２の５−５矢視図
【図６】図２の６−６矢視図
【図７】ダミーヘッドの概略構成を示す正面図
【図８】位置決めピンと位置決め穴の概略構成を示す側面図
【図９】ダミーヘッドを用いたラインヘッドの取り付け手順を示す工程図
【発明を実施するための形態】
【００１６】
以下、添付図面に従って本発明に係るインクジェット記録装置の好ましい実施の形態について詳説する。
【００１７】
図１は、本発明が適用されたインクジェット記録装置の描画部の概略構成図である。
【００１８】
同図に示すように、本実施の形態のインクジェット記録装置は、描画部１０において、用紙（記録媒体）１２を描画ドラム１４で回転搬送する。そして、この描画ドラム１４によって回転搬送される用紙１２に対して、描画ドラム１４の外周面に対向して配置された４本のラインヘッド１６Ｃ、１６Ｍ、１６Ｙ、１６ＫでＣ（シアン）、Ｍ（マゼンタ）、Ｙ（イエロ）、Ｋ（クロ）のインク滴を打滴して、用紙１２の記録面にカラー画像を描画する。
【００１９】
用紙１２を搬送する描画ドラム１４は、円筒状に形成されており、その回転軸１８は、装置本体フレームに設置された図示しない軸受に回転自在に支持されている。回転軸１８には、図示しない回転伝達機構を介してモータが連結されている。描画ドラム１４は、このモータに駆動されて回転する。
【００２０】
描画ドラム１４の外周面には、用紙１２の先端部を把持するためのグリッパ２０が、外周面上の２カ所に設置されている。各グリッパ２０は、それぞれ図示しない開閉駆動手段に駆動されて開閉される。用紙１２は、このグリッパ２０に先端部を把持されて、描画ドラム１４の外周面上に保持される。
【００２１】
また、描画ドラム１４の周面には、図示しない吸着穴が所定の配列パターンで多数形成されている。各吸着穴は、描画ドラム１４の内部に貫通して形成されている。描画ドラム１４は、図示しないバキュームポンプによって内部のエアが吸引されている。このため、各吸着穴からは、内部に向けてエアが吸引されている。描画ドラム１４の外周面に巻き掛けられた用紙１２は、この吸着穴からエアが吸引されることにより、描画ドラム１４の外周面に吸着保持される。
【００２２】
なお、本例において、用紙１２は、描画ドラム１４に並列して配置された搬送ドラム２２によって描画ドラム１４に受け渡され、描画後の用紙１２は、同じく描画ドラム１４に並列して配置された搬送ドラム２４に受け渡される。グリッパ２０は、タイミングを合わせて、前段の搬送ドラム２２から用紙１２を受け取り、タイミングを合わせて、後段の搬送ドラム２４に描画後の用紙１２を受け渡す。
【００２３】
４本のラインヘッド１６Ｃ、１６Ｍ、１６Ｙ、１６Ｋは、描画ドラム１４の回転軸１８を中心とした同心円上に一定の間隔をもって放射状に配置されている。各ラインヘッド１６Ｃ、１６Ｍ、１６Ｙ、１６Ｋからは、描画ドラム１４の外周面に向けて垂直にインク滴が吐出され、この描画ドラム１４の外周面に向けて吐出されたインク滴が、描画ドラム１４によって回転搬送される用紙１２に打滴されて、用紙１２にカラー画像が描画される。
【００２４】
さて、上記のように、描画ドラム１４によって、その周面に吸着保持されて回転搬送される用紙１２は、描画ドラム１４の外周面に対向して配置された４本のラインヘッド１６Ｃ、１６Ｍ、１６Ｙ、１６ＫからＣ、Ｍ、Ｙ、Ｋの各色のインクを打滴されて、記録面にカラー画像が描画される。このカラー画像を高精度に描画するためには、各ラインヘッド１６Ｃ、１６Ｍ、１６Ｙ、１６Ｋが、描画ドラム１４に対して正確に位置決めされて設置される必要がある。具体的には、各ラインヘッド１６Ｃ、１６Ｍ、１６Ｙ、１６Ｋのノズル面が、描画ドラム１４の外周面に対して平行、かつ、一定距離の位置に配置される必要がある。このため、本実施の形態のインクジェット記録装置では、次のようにして、各ラインヘッド１６Ｃ、１６Ｍ、１６Ｙ、１６Ｋが取り付けられている。
【００２５】
図２は、ラインヘッドの取付部の構造を示す正面図である。また、図３〜６は、それぞれ図２の３−３矢視図、４−４矢視図、５−５矢視図、６−６矢視図である。
【００２６】
図２に示すように、各ラインヘッド１６Ｃ、１６Ｍ、１６Ｙ、１６Ｋは、その幅方向の両端部に支持部２８Ｌ、２８Ｒを有しており、この支持部２８Ｌ、２８Ｒをヘッド支持フレーム３１に設けられた左右一対の台座３０Ｌ、３０Ｒに固定することにより、所定位置に取り付けられる。
【００２７】
ヘッド支持フレーム３１は、左右一対の側板３２Ｌ、３２Ｒと、その左右一対の側板３２Ｌ、３２Ｒを連結する連結板３４とで構成されている。左右一対の側板３２Ｌ、３２Ｒは、描画ドラム１４を挟んで左右対称に配置されており、それぞれ描画ドラム１４の回転軸１８に対して垂直に配置されている。連結板３４は、この左右一対の側板３２Ｌ、３２Ｒを前後で連結して一体化する。このヘッド支持フレーム３１は、装置本体フレームに取り付けられた図示しないガイドレールにスライド移動自在に支持されており、描画ドラム１４の回転軸１８と平行にスライド移動して、所定の退避位置に退避可能に設けられている。
【００２８】
各台座３０Ｌ、３０Ｒは、それぞれスライド支持機構３６Ｌ、３６Ｒを介して、左右の側板３２Ｌ、３２Ｒの内側に取り付けられている。
【００２９】
スライド支持機構３６Ｌ、３６Ｒは、ガイドレール３８Ｌ、３８Ｒと、そのガイドレール３８Ｌ、３８Ｒ上をスライドする１組のスライダ４０Ｌａ、４０Ｌｂ、４０Ｒａ、４０Ｒｂと、スライダ４０Ｌａ、４０Ｌｂ、４０Ｒａ、４０Ｒｂに取り付けられた取付板４２Ｌ、４２Ｒとで構成されている。
【００３０】
各ガイドレール３８Ｌ、３８Ｒは、それぞれ側板３２Ｌ、３２Ｒの内側に取り付けられており、それぞれ描画ドラム１４の中心を通る直線に沿って配設されている（描画ドラム１４の法線に沿って配設されている。）。
【００３１】
スライダ４０Ｌａ、４０Ｌｂ、４０Ｒａ、４０Ｒｂは、このガイドレール３８Ｌ、３８Ｒの上をスライド移動自在に設けられている。したがって、スライダ４０Ｌａ、４０Ｌｂ、４０Ｒａ、４０Ｒｂは、描画ドラム１４の中心を通る直線に沿ってスライドする。なお、このスライダ４０Ｌａ、４０Ｌｂ、４０Ｒａ、４０Ｒｂは、図示しないボルトによってガイドレール３８Ｌ、３８Ｒに固定できるようにされている。
【００３２】
取付板４２Ｌ、４２Ｒは、矩形の板状に形成されており、図示しないボルトによってスライダ４０Ｌａ、４０Ｌｂ、４０Ｒａ、４０Ｒｂに固定されている。スライダ４０Ｌａ、４０Ｌｂ、４０Ｒａ、４０Ｒｂに取り付けられた取付板４２Ｌ、４２Ｒは、描画ドラム１４の回転軸１８に対して垂直に配設される。そして、スライダ４０Ｌａ、４０Ｌｂ、４０Ｒａ、４０Ｒｂによって、描画ドラム１４の中心を通る直線に沿ってスライドする。台座３０Ｌ、３０Ｒは、この取付板４２Ｌ、４２Ｒに図示しないボルトで固定される。
【００３３】
台座３０Ｌ、３０Ｒは、図２に示すように、矩形状のプレートの先端（下端）を直角に折り曲げてＬ字状に形成されており、描画ドラム１４の回転軸１８に対して垂直な垂直部３０Ｌａ、３０Ｒａと、描画ドラム１４の回転軸１８に対して平行な水平部３０Ｌｂ、３０Ｒｂとで構成されている。この台座３０Ｌ、３０Ｒは、垂直部３０Ｌａ、３０Ｒａをスライド支持機構３６Ｒ、３６Ｌの取付板４２Ｌ、４２Ｒに図示しないボルトで固定することにより、スライド機構３６Ｒ、３６Ｌに取り付けられる。スライド支持機構３６Ｒ、３６Ｌに取り付けられた台座３０Ｌ、３０Ｒは、図２に示すように、その垂直部３０Ｌａ、３０Ｒａが、描画ドラム１４の回転軸１８に対して垂直に取り付けられるとともに、固定部３０Ｌｂ、３０Ｒｂが、描画ドラム１４の回転軸１８と平行に取り付けられる。そして、スライド支持機構３６Ｒ、３６Ｌに取り付けられた台座３０Ｌ、３０Ｒは、スライド支持機構３６Ｌ、３６Ｒによって、描画ドラム１４の中心を通る直線に沿ってスライド自在に支持され、描画ドラム１４の外周面に対して垂直に昇降可能に支持される。
【００３４】
このように描画ドラム１４の外周面に対して垂直に昇降可能に支持された台座３０Ｌ、３０Ｒは、昇降駆動機構４４によって、昇降駆動される。
【００３５】
昇降駆動機構４４は、主として、パルスモータ４６と、そのパルスモータ４６によって回転駆動される回転駆動軸４８と、回転駆動軸４８に取り付けられた左右一対の偏心カム５０Ｌ、５０Ｒと、各取付板４２Ｌ、４２Ｒに取り付けられるとともに、各偏心カム５０Ｌ、５０Ｒに当接された左右一対の従動カム５２Ｌ、５２Ｒとで構成されている。
【００３６】
パルスモータ４６は、一方の側板３２Ｌの外側面にブラケット５４を介して取り付けられており、その出力軸４６ａは、描画ドラム１４の回転軸１８に対して垂直に設けられている。
【００３７】
回転駆動軸４８は、左右の側板３２Ｌ、３２Ｒを跨いで設置されており、描画ドラム１４の回転軸１８と平行に配設されている。この回転駆動軸４８は、左右の側板３２Ｌ、３２Ｒに設けられた軸受５６Ｌ、５６Ｒに回転自在に支持されている。
【００３８】
パルスモータ４６の回転は、ウォームギア５８を介して回転駆動軸４８に伝達され、パルスモータ４６の出力軸４６ａには、このウォームギア５８を構成するウォーム５８ａが取り付けられている。一方、回転駆動軸４８には、このウォーム５８ａに噛み合うウォームホイール５８ｂが取り付けられており、これにより、パルスモータ４６の回転が回転駆動軸４８に伝達される。
【００３９】
左右一対の偏心カム５０Ｌ、５０Ｒは、円盤状に形成されており、その回転中心が偏心されて、回転駆動軸４８に取り付けられている。この偏心カム５０Ｌ、５０Ｒは、それぞれ側板３２Ｌ、３２Ｒの外側に配置されており、描画ドラム１４の回転軸１８に対して、垂直に配置されている。
【００４０】
従動カム５２Ｌ、５２Ｒは、円盤状に形成されており、その周面が偏心カム５０Ｌ、５０Ｒの周面に当接されて、偏心カム５０Ｌ、５０Ｒの上に載置されている。この従動カム５２Ｌ、５２Ｒは、描画ドラム１４の回転軸１８と平行に配設された支軸５２Ｌａ、５２Ｒａに回転自在に支持されている。支軸５２Ｌａ、５２Ｒａは、側板３２Ｌ、３２Ｒに形成された長穴５９Ｌ、５９Ｒを通して、描画ドラム１４の回転軸１８と平行に配設されており、その基端部が、取付板４２Ｌ、４２Ｒに一体成形された軸支持部４２Ｌａ、４２Ｌｂに固定されている。長穴５９Ｌ、５９Ｒは、ガイドレール３８Ｌ、３８Ｒと平行に形成されており、これにより、従動カム５２Ｌ、５２Ｒが、ガイドレール３８Ｌ、３８Ｒと平行に移動できるようにされている。
【００４１】
以上のように構成された昇降駆動機構４４によれば、パルスモータ４６を駆動して、回転駆動軸４８を回転させると、左右一対の偏心カム５０Ｌ、５０Ｒが回転し、これにより、従動カム５２Ｌ、５２Ｒが、描画ドラム１４の外周面に対して垂直に昇降移動する。そして、この従動カム５２Ｌ、５２Ｒが描画ドラム１４の外周面に対して垂直に昇降移動することにより、この従動カム５２Ｌ、５２Ｒに連結された取付板４２Ｌ、４２が描画ドラム１４の外周面に対して垂直に昇降移動し、この結果、台座３０Ｌ、３０Ｒが、描画ドラム１４の外周面に対して垂直に昇降する。
【００４２】
なお、台座３０Ｌ、３０Ｒは、図示しないボルトによってスライダ４０Ｌａ、４０Ｌｂ、４０Ｒａ、４０Ｒｂをガイドレール３８Ｌ、３８Ｒに固定することにより、側板３２Ｌ、３２Ｒに固定される。各ラインヘッド１６Ｃ、１６Ｍ、１６Ｙ、１６Ｋは、台座３０Ｌ、３０Ｒを側板３２Ｌ、３２Ｒに固定した状態で取り付けられる。
【００４３】
ラインヘッドの取付部は、以上のように構成される。次に、この取付部へのラインヘッドの取付方法について説明する。
【００４４】
各ラインヘッド１６Ｃ、１６Ｍ、１６Ｙ、１６Ｋは、それぞれ所定位置に位置決めされた台座３０Ｌ、３０Ｒに取り付けられる。
【００４５】
したがって、まず、各ラインヘッド１６Ｃ、１６Ｍ、１６Ｙ、１６Ｋを取り付けるための台座３０Ｌ、３０Ｒを所定位置に位置決めする必要がある。この作業は、所定のダミーヘッド（調整ジグ）を用いて行われる。
【００４６】
図７は、ダミーヘッドの概略構成を示す正面図である。同図に示すように、ダミーヘッド６０は、台座３０Ｌ、３０Ｒに取り付け可能に形成されており、ダミーヘッド本体６２と、そのダミーヘッド本体６２の幅方向の両端部に設けられた支持部６４Ｌ、６４Ｒとで構成されている。
【００４７】
ダミーヘッド本体６２は、描画ドラム１４とほぼ同じ幅を有する矩形の箱状に形成されており、その下面部の両端に位置決めピン６６Ｌ、６６Ｒが取り付けられている。
【００４８】
支持部６４Ｌ、６４Ｒは、矩形の板状に形成されており、ダミーヘッド本体６２の両端部から水平に張り出して形成されている。この支持部６４Ｌ、６４Ｒは、ダミーヘッド本体６２の下面部と平行に設けられており、台座３０Ｌ、３０Ｒの固定部３０Ｌｂ、３０Ｒｂにボルトで固定可能に設けられている。ダミーヘッド６０は、この支持部６４Ｌ、６４Ｒを台座３０Ｌ、３０Ｒの固定部３０Ｌｂ、３０Ｒｂに載置して、ボルトで固定すると、そのダミーヘッド本体６２の下面部が、描画ドラム１４の回転軸１８と平行な状態で台座３０Ｌ、３０Ｒに取り付けられる。
【００４９】
位置決めピン６６Ｌ、６６Ｒは、大径部６６Ｌａ、６６Ｒａと、その大径部６６Ｌａ、６６Ｒａの先端同軸上に設けられた小径部６６Ｌｂ、６６Ｒｂとからなる段付きピンで構成されており、ダミーヘッド本体６２の下面部に垂直に立設されている。この位置決めピン６６Ｌ、６６Ｒは、その大径部６６Ｌａ、６６Ｒａの端面が、支持部６４Ｌ、６４Ｒの下面から所定距離Ｄの位置に位置するように、高さ調整されて設置されている。また、この位置決めピン６６Ｌ、６６Ｒは、その小径部６６Ｌｂ、６６Ｒｂが、描画ドラム１４の両端部に形成された位置決め穴６８Ｌ、６８Ｒに嵌入されるように位置調整されて設置されている。
【００５０】
ここで、この小径部６６Ｌｂ、６６Ｒｂが嵌入される位置決め穴６８Ｌ、６８Ｒは、描画ドラム１４の両端周縁部に切欠きとして形成されており、ラインヘッド１６Ｃ、１６Ｍ、１６Ｙ、１６Ｋの設置間隔と同じ間隔で４カ所に形成されている。そして、各位置決め穴６８Ｌ、６８Ｒは、図８に示すように、その幅ｒ‘が、小径部６６Ｌｂ、６６Ｒｂの外径ｒよりも若干大きく形成されており、また、その深さが、小径部６６Ｌｂ、６６Ｒｂの高さよりも大きく形成されている。このため、位置決めピン６６Ｌ、６６Ｒは、その小径部６６Ｌｂ、６６Ｒｂのみが位置決め穴６８Ｌ、６８Ｒに嵌入され、大径部６６Ｌａ、６６Ｒａは、その端面が位置決め穴６８Ｌ、６８Ｒの縁部に係止される。そして、この大径部６６Ｌａ、６６Ｒａの端面が、位置決め穴６８Ｌ、６８Ｒの縁部に係止されることにより、位置決めピン６６Ｌ、６６Ｒは、描画ドラム１４の外周面に対して垂直な姿勢に保持される。
【００５１】
位置決めピン６６Ｌ、６６Ｒは、ダミーヘッド６０を台座３０Ｌ、３０Ｒに取り付けると、その小径部６６Ｌｂ、６６Ｒｂが、位置決め穴６８Ｌ、６８Ｒに嵌入できるように、ダミーヘッド本体６２に取り付けられる。したがって、左右の位置決めピン６６Ｌ、６６Ｒは、描画ドラム１４の回転軸１８と平行な直線上に配置され、かつ、描画ドラム１４に形成された位置決め穴６８Ｌ、６８Ｒの形成間隔と同じ間隔で配置される。
【００５２】
ダミーヘッド６０は、以上のように構成される。
【００５３】
図９は、ダミーヘッド６０を用いたラインヘッドの取り付け手順を示す工程図である。
【００５４】
まず、同図（ａ）に示すように、各台座３０Ｌ、３０Ｒにダミーヘッド６０を取り付ける。
【００５５】
この際、各台座３０Ｌ、３０Ｒは、所定の高さの位置（ダミーヘッド取付位置）まで上昇させておき、位置決めピン６６Ｌ、６６Ｒが、描画ドラム１４の先端に接触しないようにしておく。
【００５６】
台座３０Ｌ、３０Ｒへのダミーヘッド６０の取り付けは、ダミーヘッド６０の両端の支持部６４Ｌ、６４Ｒを台座３０Ｌ、３０Ｒの上に載置し、ボルトで固定することにより行われる。
【００５７】
このようにして台座３０Ｌ、３０Ｒに取り付けられたダミーヘッド６０は、そのダミーヘッド本体６２の下面部が、描画ドラム１４の回転軸１８と平行な状態で台座３０Ｌ、３０Ｒに取り付けられる。
【００５８】
次に、各ダミーヘッド６０に設けられた位置決めピン６６Ｌ、６６Ｒと、位置決め穴６８Ｌ、６８Ｒの位置を合わせる。すなわち、各位置決めピン６６Ｌ、６６Ｒと位置決め穴６８Ｌ、６８Ｒとが互いに対向するように、位置決め穴６８Ｌ、６８Ｒの回転位置を位置合わせする。
【００５９】
次に、各台座３０Ｌ、３０Ｒを描画ドラム１４に向けて下降させる。ここで、台座３０Ｌ、３０Ｒの移動は、パルスモータ４６を駆動して、回転駆動軸４８を回転させることにより行われる。すなわち、パルスモータ４６を駆動して、回転駆動軸４８を回転させると、偏心カム５０Ｌ、５０Ｒが回転し、偏心カム５０Ｌ、５０Ｒと従動カム５２Ｌ、５２Ｒとの接触点の高さ位置が変化する。この結果、従動カム５２Ｌ、５２Ｒが上下動し、この従動カム５２Ｌ、５２Ｒに接続された台座３０Ｌ、３０Ｒが、描画ドラム１４の外周面に対して上下動する。
【００６０】
なお、台座３０Ｌ、３０Ｒは、ガイドレール３８Ｌ、３８Ｒにガイドされて移動することにより、描画ドラム１４の中心を通る直線に沿って移動（法線に沿って移動）する。
【００６１】
このように台座３０Ｌ、３０Ｒを下降させると、この台座３０Ｌ、３０Ｒに取り付けられたダミーヘッド６０が描画ドラム１４の外周面に対して下降（法線に沿って下降）する）。
【００６２】
ダミーヘッド６０は、下降すると、図９（ｂ）に示すように、所定位置において、そのダミーヘッド本体６２の下面部に設けられた左右の位置決めピン６６Ｌ、６６Ｒが、描画ドラム１４に設けられた位置決め穴６８Ｌ、６８Ｒに嵌入される。
【００６３】
位置決めピン６６Ｌ、６６Ｒは、先端の小径部６６Ｌｂ、６６Ｒｂのみが位置決め穴６８Ｌ、６８Ｒに嵌入され、この先端の小径部６６Ｌｂ、６６Ｒｂの嵌入後、さらにダミーヘッド６０を下降させると、位置決めピン６６Ｌ、６６Ｒは、大径部６６Ｌａ、６６Ｒａの端面が、位置決め穴６８Ｌ、６８Ｒの周縁に当接する。そして、この大径部６６Ｌａ、６６Ｒａの端面が、位置決め穴６８Ｌ、６８Ｒの周縁に当接すると、ダミーヘッド６０は、それ以上の下降ができなくなり、描画ドラム１４の外周面上で停止する。
【００６４】
そこで、位置決めピン６６Ｌ、６６Ｒの大径部６６Ｌａ、６６Ｒａの端面が位置決め穴６８Ｌ、６８Ｒの周縁に当接し、ダミーヘッド６０の下降が停止したところで、パルスモータ４６の駆動を停止する。
【００６５】
ここで、上記のように、ダミーヘッド６０は、その大径部６６Ｌａ、６６Ｒａの端面から支持部６４Ｌ、６４Ｒの下面までの距離が所定距離Ｄになるように作られていることから、位置決めピン６６Ｌ、６６Ｒの大径部６６Ｌａ、６６Ｒａの端面が位置決め穴６８Ｌ、６８Ｒの周縁に当接して停止すると、その支持部６４Ｌ，６４Ｒの下面の位置（台座３０Ｌ，３０Ｒの固定部３０Ｌｂ、３０Ｒｂの位置）が、描画ドラム１４の外周面から所定高さの位置（距離Ｄの位置）に位置する。
【００６６】
また、位置決めピン６６Ｌ、６６Ｒの大径部６６Ｌａ、６６Ｒａの端面が位置決め穴６８Ｌ、６８Ｒの周縁に当接することにより、描画ドラム１４の外周面に対して垂直な姿勢に保持される（法線に沿って保持される）。
【００６７】
この結果、ダミーヘッド６０が取り付けられた台座３０Ｌ、３０Ｒが、描画ドラム１４の外周面から所定高さの位置に位置するとともに、描画ドラム１４の回転軸１８に対して平行な姿勢で保持される。すなわち、所定の位置に所定の姿勢で位置決めされる。
【００６８】
次に、位置決めされた台座３０Ｌ、３０Ｒを固定する。すなわち、スライダ４０Ｌａ、４０Ｌｂ、４０Ｒａ、４０Ｒｂをボルトでガイドレール３８Ｌ、３８Ｒに固定する。これにより、台座３０Ｌ、３０Ｒが、描画ドラム１４の外周面から所定高さの位置に所定の姿勢で固定される。
【００６９】
次に、図９（ｃ）に示すように、各台座３０Ｌ、３０Ｒからダミーヘッド６０を取り外す。
【００７０】
次に、図９（ｄ）に示すように、各台座３０Ｌ、３０Ｒにラインヘッド１６Ｃ、１６Ｍ、１６Ｙ、１６Ｋを取り付ける。各台座３０Ｌ、３０Ｒへのラインヘッド１６Ｃ、１６Ｍ、１６Ｙ、１６Ｋの取り付けは、各ラインヘッド１６Ｃ、１６Ｍ、１６Ｙ、１６Ｋの両端部に設けられた支持部２８Ｌ、２８Ｒを台座３０Ｌ、３０Ｒに載置し、ボルトで固定することにより行われる。
【００７１】
このようにして台座３０Ｌ、３０Ｒに取り付けられたラインヘッド１６Ｃ、１６Ｍ、１６Ｙ、１６Ｋは、台座３０Ｌ、３０Ｒが、描画ドラム１４の外周面に対して、所定高さの位置に所定の姿勢（描画ドラム１４の回転軸１８に対して平行）で位置決めされて取り付けられているため、所定位置（描画ドラム１４の外周面から所定高さの位置）に所定の姿勢（描画ドラム１４の回転軸１８に対して平行）で取り付けられる。すなわち、そのノズル面が、描画ドラム１４の外周面に対して、所定高さの位置に位置し、かつ、描画ドラム１４の回転軸１８と平行（＝外周面に対して平行）な姿勢で取り付けられる。
【００７２】
このように本実施の形態のインクジェット記録装置では、ダミーヘッド６０を用いて台座３０Ｌ、３０Ｒを所定位置に位置決めして固定し、この位置決め固定された台座３０Ｌ、３０Ｒにラインヘッド１６Ｃ、１６Ｍ、１６Ｙ、１６Ｋを取り付ける。これにより、ラインヘッド１６Ｃ、１６Ｍ、１６Ｙ、１６Ｋが、描画ドラム１４の外周面に対して所定の位置に所定の姿勢で取り付けられる。
【００７３】
そして、このようにラインヘッド１６Ｃ、１６Ｍ、１６Ｙ、１６Ｋを取り付けることにより、各ラインヘッド１６Ｃ、１６Ｍ、１６Ｙ、１６Ｋの取付部の部品精度や組立精度にバラツキがある場合であっても、このバラツキを吸収して、常に所定位置に所定の姿勢で高精度に取り付けることができる。
【００７４】
また、台座３０Ｌ、３０Ｒは、ダミーヘッド６０を用いることにより、描画ドラム１４の外周面を基準にして、位置決めが行われるので、描画ドラム１４の外周面に対して、常に一定位置に位置決めすることができる。
【００７５】
また、このように描画ドラム１４の外周面を基準にして、各ラインヘッド１６Ｃ、１６Ｍ、１６Ｙ、１６Ｋのノズル面の位置決めを高精度に行うことができるので、ノズル面の高さ調整も高精度に行うことができる。これにより、用紙の厚さに応じて、ノズル面の高さ位置（描画ドラムとノズル面との間の距離）を高精度に調整することができ、高品位な画像を記録することができる。
【００７６】
なお、上記のように、ダミーヘッド６０は、ラインヘッド１６Ｃ、１６Ｍ、１６Ｙ、１６Ｋを台座３０Ｌ、３０Ｒに取り付けた際、ラインヘッド１６Ｃ、１６Ｍ、１６Ｙ、１６Ｋが描画ドラム１４の外周面に対して所定位置に位置するように、台座３０Ｌ、３０Ｒを位置決めするものであるから、その支持部６４Ｌ、６４Ｒの下面部から位置決めピン６６Ｌ、６６Ｒの大径部６６Ｌａ、６６Ｒａの端面までの距離Ｄは、位置決めされた台座３０Ｌ、３０Ｒにラインヘッド１６Ｃ、１６Ｍ、１６Ｙ、１６Ｋを取り付けた際、ラインヘッド１６Ｃ、１６Ｍ、１６Ｙ、１６Ｋのノズル面が、ラインヘッド１６Ｃ、１６Ｍ、１６Ｙ、１６Ｋが描画ドラム１４の外周面に対して所定位置に位置するように設定される。
【００７７】
なお、本実施の形態では、位置決め穴６８Ｌ、６８Ｒを描画ドラム１４の両端周縁部に切欠きとして形成しているが、位置決め穴の形状は、これに限定されるものではない。位置決めピン６６Ｌ、６６Ｒの先端の小径部６６Ｌｂ、６６Ｒｂが嵌入可能な形状であればよい。また、その設置位置についても、両端周縁部に限らず、描画ドラム１４の外周面上に形成するようにしてもよい。
【００７８】
また、本実施の形態では、位置決めピン６６Ｌ、６６Ｒを大径部６６Ｌａ、６６Ｒａと小径部６６Ｌｂ、６６Ｒｂとからなる段付きピンで構成しているが、位置決めピン６６Ｌ、６６Ｒの形状は、これに限定されるものではない。位置決め穴６８Ｌ、６８Ｒに嵌入されて、台座３０Ｌ、３０Ｒを所定高さの位置に位置決めできる形状であればよい。
【００７９】
なお、本実施の形態の位置決めピン６６Ｌ、６６Ｒのように、段付きピンで構成することにより、台座３０Ｌ、３０Ｒをダミーヘッド６０で位置決めする際、各ラインヘッド１６Ｃ、１６Ｍ、１６Ｙ、１６Ｋと描画ドラム１４の法線方向の位置も一定にすることができる。
【００８０】
また、本実施の形態では、ガイドレール３８Ｌ、３８Ｒに対して、スライダ４０Ｌａ、４０Ｌｂ、４０Ｒａ、４０Ｒｂをボルトで固定することにより、台座３０Ｌ、３０Ｒを固定する構成としているが、台座３０Ｌ、３０Ｒを固定する手段は、これに限定されるものではない。ガイドレール３８Ｌ、３８Ｒに対して、台座３０Ｌ、３０Ｒを任意の位置で固定できる構成であればよい。
【符号の説明】
【００８１】
１０…描画部、１２…用紙、１４…描画ドラム、１６Ｃ、１６Ｍ、１６Ｙ、１６Ｋ…ラインヘッド、１８…回転軸、２０…グリッパ、２８Ｌ、２８Ｒ…支持部、３０Ｌ、３０Ｒ…台座、３０Ｌａ、３０Ｒａ…垂直部、３０Ｌｂ、３０Ｌａ…固定部、３１…ヘッド支持フレーム、３２Ｌ、３２Ｒ…側板、３４…連結板、３６Ｌ、３６Ｒ…スライド支持機構、３８Ｌ、３８Ｒ…ガイドレール、４０Ｌａ、４０Ｌｂ、４０Ｒａ、４０Ｒｂ…スライダ、４２Ｌ、４２Ｒ…取付板、４４…昇降駆動機構、４６…パルスモータ、４８…回転駆動軸、５０Ｌ、５０Ｒ…偏心カム、５２Ｌ、５２Ｒ…従動カム、５２Ｌａ、５２Ｒａ…支軸、５４…ブラケット、５８…ウォームギア、５８ａ…ウォーム、５８ｂ…ウォームホイール、５９Ｒ、５９Ｌ…長穴、６０…ダミーヘッド、６２…ダミーヘッド本体、６４Ｌ、６４Ｒ…支持部、６６Ｌ、６６Ｒ…位置決めピン、６６Ｌａ、６６Ｒａ…大径部、６６Ｌｂ、６６Ｒｂ…小径部、６８Ｌ、６８Ｒ…位置決め穴
【図１】
2010173305.tif 000003
【図２】
2010173305.tif 000004
【図３】
2010173305.tif 000005
【図４】
2010173305.tif 000006
【図５】
2010173305.tif 000007
【図６】
2010173305.tif 000008
【図７】
2010173305.tif 000009
【図８】
2010173305.tif 000010
【図９】
2010173305.tif 000011